(57)【要約】【課題】干渉物を避けて固定でき、かつ、安定して支持できる排水管継手の支持金具を提供すること。【解決手段】支持金具１０は、排水管継手６をコンクリートスラブ１に対して支持するために使用される。支持金具１０は、端部１５相互を連結させることにより、排水管継手６の外周面７ａを把持する複数のバンド部１２と、バンド部１２をそれぞれ保持してコンクリートスラブ１に固定される固定部２１と、を備える。各固定部２１は、バンド部１２を保持する保持部２２と、保持部２２から二又状に分岐されて下方に延び、下端部３０をそれぞれコンクリートスラブ１に固定させる分岐脚部２７と、を備える。各分岐脚部２７は、保持部２２を中心として下端部３０側を回動可能で、かつ、回動後の位置を保持部２２に対して固定可能に、構成されている。【選択図】図１
2004027508.tif 000002
【特許請求の範囲】
【請求項１】
コンクリートスラブに対して排水管継手を支持するために使用される排水管継手の支持金具であって、
端部相互を連結させることにより、前記排水管継手の外周面を把持する複数のバンド部と、該バンド部をそれぞれ保持して前記コンクリートスラブに固定される固定部と、を備えて構成され、
前記各固定部が、前記バンド部を保持する保持部と、該保持部から二又状に分岐されて下方に延び、下端部をそれぞれ前記コンクリートスラブに固定させる分岐脚部と、を備え、
前記各分岐脚部が、前記保持部を中心として前記下端部側を回動可能で、かつ、回動後の位置を前記保持部に対して固定可能に、構成されていることを特徴とする排水管継手の支持金具。
【請求項２】
前記保持部が、前記分岐脚部に対し、上下方向の高さ調整を可能として、連結されていることを特徴とする請求項１に記載の排水管継手の支持金具。
【請求項３】
前記保持部が、雄ねじを螺刻させたねじ棒を備えて構成されるとともに、
前記保持部が、
前記バンド部から延びる鍔部の挿通孔に、前記ねじ棒を挿通させ、かつ、前記鍔部の表裏から前記ねじ棒に螺合させるナットによって、前記鍔部を挟持することにより、前記バンド部を固定し、
前記分岐脚部に設けられた挿通孔に、前記ねじ棒を挿通させ、かつ、前記分岐脚部の表裏から前記ねじ棒に螺合させるナットによって、前記挿通孔周縁を挟持することにより、前記分岐脚部を前記保持部に対して回動不能に固定するように、構成されていることを特徴とする請求項１若しくは請求項２に記載の排水管継手の支持金具。
【発明の詳細な説明】
【０００１】
【発明の属する技術分野】
本発明は、集合住宅等の排水立て管と接続される排水管継手を、コンクリートスラブに対して、支持するために使用される排水管継手の支持金具に関する。
【０００２】
【従来の技術とその課題】
従来、この種の支持金具としては、特開平１１−３６３９９号公報等に記載されているように、端部相互を連結させることにより、排水管継手の外周面を把持する一対のバンド部と、各バンド部を保持してコンクリートスラブに固定される固定部と、を備えて構成されていた。
【０００３】
なお、このような支持金具は、排水管継手の敷設時、コンクリートスラブに開口された挿通孔に、排水管継手を挿通させ、排水管継手の外周面と挿通孔の内周面との隙間を、モルタル等を充填して塞ぐ際において、排水管継手に接続させる横枝管の高さ位置に対応させて、排水管継手を所定高さで支持するために使用されたり、あるいは、モルタル等の充填材の硬化後においても、排水管継手を安定して支持するため等に、使用されていた。
【０００４】
しかし、従来の支持金具では、固定部を配置させる位置に、配管、メータボックス、バルブなどの干渉物が配置されているような場合には、排水管継手の安定した支持態様を確保して、コンクリートスラブに固定させる点に、改善の余地があった。
【０００５】
本発明は、上述の課題を解決するものであり、干渉物を避けて固定でき、かつ、安定して支持できる排水管継手の支持金具を提供することを目的とする。
【０００６】
【課題を解決するための手段】
本発明に係る支持金具は、排水管継手をコンクリートスラブに対して支持するために使用される排水管継手の支持金具であって、
端部相互を連結させることにより、排水管継手の外周面を把持する複数のバンド部と、バンド部をそれぞれ保持してコンクリートスラブに固定される固定部と、を備えて構成され、
各固定部が、バンド部を保持する保持部と、保持部から二又状に分岐されて下方に延び、下端部をそれぞれコンクリートスラブに固定させる分岐脚部と、を備え、
各分岐脚部が、保持部を中心として下端部側を回動可能で、かつ、回動後の位置を保持部に対して固定可能に、構成されていることを特徴とする。
【０００７】
本発明に係る支持金具では、敷設する排水管継手の周囲に干渉物があっても、保持部を中心に分岐脚部を回転させて、干渉物を避けるように、各下端部をコンクリートスラブに固定することができる。そして、端部相互を連結させて、バンド部によって排水管継手の外周面を把持した状態で、バンド部を保持した保持部から延びる分岐脚部の各下端部を、コンクリートスラブに固定すれば、安定して、排水管継手を支持することができる。
【０００８】
したがって、本発明に係る排水管継手の支持金具では、干渉物を避けて固定でき、かつ、安定して排水管継手を支持することができる。
【０００９】
そして、請求項２に記載するように、保持部が、分岐脚部に対し、上下方向の高さ調整を可能として、連結されていれば、分岐脚部の各下端部をコンクリートスラブに固定する位置に対して、バンド部で把持する排水管継手の把持位置の高さを、変更することとしても、容易に対処することができる。
【００１０】
また、請求項３に記載するように、保持部が、雄ねじを螺刻させたねじ棒を備えて構成されて、保持部が、バンド部から延びる鍔部の挿通孔に、ねじ棒を挿通させ、かつ、鍔部の表裏からねじ棒に螺合させるナットによって、鍔部を挟持することにより、バンド部を固定し、また、分岐脚部に設けられた挿通孔に、ねじ棒を挿通させ、かつ、分岐脚部の表裏からねじ棒に螺合させるナットによって、挿通孔周縁を挟持することにより、分岐脚部を保持部に対して回動不能に固定するように構成されている場合には、ナットの操作により、容易に、バンド部で把持する排水管継手の把持位置の高さ変更と、保持部を中心とした回転方向の分岐脚部における各下端部の配置位置の変更と、を行なうことができる。
【００１１】
すなわち、鍔部の表裏からねじ棒に螺合させるナット、あるいは、分岐脚部の表裏からねじ棒に螺合させるナット、を緩めて、ねじ棒に対する鍔部若しくは分岐脚部の位置を、ねじ棒の軸方向に相対的に移動させて、鍔部の表裏からねじ棒に螺合させるナット、あるいは、分岐脚部の表裏からねじ棒に螺合させるナット、を締め付ければ、分岐脚部の各下端部からのバンド部の高さ位置を、簡単に、変更することができる。
【００１２】
また、分岐脚部の表裏からねじ棒に螺合させるナットを緩めて、ねじ棒に対して、分岐脚部を回転させ、分岐脚部の表裏からねじ棒に螺合させるナットを締め付ければ、保持部を中心とした回転方向の分岐脚部における各下端部の配置位置を、簡単に、変更することができる。
【００１３】
【発明の実施の形態】
以下、本発明の一実施形態を図面に基づいて説明すると、実施形態の支持金具１０は、図１〜３に示すように、立て管４や横枝管５を接続させる排水管継手６を、コンクリートスラブ１に対して、支持して固定可能な、一対の支持部材１１（１１Ａ・１１Ｂ）から構成されている。各支持部材１１Ａ・１１Ｂは、同一の構成部材から構成されて、バンド部１２と、バンド部１２を保持してコンクリートスラブ１に固定される固定部２１と、を備えて構成されている。支持部材１１Ａ・１１Ｂのバンド部１２は、排水管継手６における胴部７の外周面７ａを包むように配置させて、対向する端部１５・１５相互を、連結手段としてのボルト１８・ナット１９を利用して、連結させることにより、胴部７の外周面７ａを把持することとなる。
【００１４】
具体的には、支持部材１１Ａ・１１Ｂの各バンド部１２は、金属板からなる本体１３を備え、本体１３は、排水管継手６の胴部７の外周面７ａに対応して、半割りの円弧状に湾曲した湾曲部１４と、鍔部１７と、を備えて構成されている。鍔部１７は、湾曲部１４の長手方向の略中間付近から水平方向の外方へ突出するように、形成されて、鍔部１７の中央付近には、上下方向に貫通して後述するねじ棒２３を挿通させる挿通孔１７ａが、形成されている。湾曲部１４の両端部１５は、それぞれ、湾曲部１４から屈曲されて、湾曲部１４の半径方向の外方に突出するような平板状に形成されている。各端部１５の中央付近には、連結手段としてのボルト１８を挿通させるために、水平方向に貫通する貫通孔１５ａが、形成されている。また、湾曲部１４における鍔部１７の両側から端部１５までの領域には、それぞれ、防振ゴム１６が被覆されている。
【００１５】
支持部材１１Ａ・１１Ｂの各固定部２１は、バンド部１２を保持する保持部２２と、保持部２２から二又状に分岐されて下方に延び、下端部３０をそれぞれコンクリートスラブ１に固定させる分岐脚部２７と、を備えて構成されている。
【００１６】
保持部２２は、実施形態の場合、雄ねじを螺刻されたねじ棒２３と、二つずつのナット２４・２５と、から構成されている。
【００１７】
ナット２４・２４は、バンド部１２の鍔部１７における表裏（上下面）に、それぞれ配置されるものであり、ねじ棒２３に螺合させたナット２４・２４を、鍔部１７の表裏から締め付けることにより、ねじ棒２３に対して、バンド部１２を固定している。そして、ナット２４・２４を緩めれば、バンド部１２を、ねじ棒２３の軸方向に対して、相対的に移動させることができることから、バンド部１２におけるコンクリートスラブ１からの上下方向の高さ調整を、行なうことができる。
【００１８】
ナット２５・２５は、分岐脚部２７の後述する横杆部２８の表裏（上下面）に、それぞれ配置されるものであり、ねじ棒２３に螺合させたナット２５・２５を、横杆部２８の表裏から締め付けることにより、ねじ棒２３に対して、分岐脚部２７を固定している。そして、ナット２５・２５を緩めれば、分岐脚部２７を、ねじ棒２３を中心として、回転させることができることから、下端部３０・３０の配置位置を、ねじ棒２３回りで調整することができる。なお、ナット２５・２５を緩めれば、分岐脚部２７を、ねじ棒２３の軸方向に対して、相対的に移動させることもできることから、ねじ棒２３に固定されたバンド部１２のコンクリートスラブ１からの上下方向の高さ調整も、行なうことができる。
【００１９】
分岐脚部２７は、Ｌ字鋼から形成されて、水平方向に配置される横杆部２８と、横杆部２８の長手方向の両端からそれぞれ下方に延びる縦杆部２９・２９と、を備えて構成されている。横杆部２８は、その長手方向の略中間付近に、上下方向に貫通させて、ねじ棒２３を挿通させるための挿通孔２８ａを、配置させている。各縦杆部２９の下端部３０は、水平方向に延びてコンクリートスラブ１に固定される部位としている。そして、各下端部３０には、上下方向に貫通して、固定手段としてのアンカーボルト等の固定ボルト３１を挿通させる貫通孔３０ａが、形成されている。
【００２０】
実施形態の支持金具１０の使用態様について述べれば、コンクリートスラブ１に設けられた挿通孔２に、排水管継手６を敷設する前に、予め、排水管継手６に支持金具１０を仮組み付けしておく。すなわち、支持部材１１Ａ・１１Ｂの各バンド部１２を、胴部７の外周面７ａを包むように配置させて、対向する端部１５・１５の貫通孔１５ａにボルト１８を挿通させて、各ボルト１８にナット１９を緩く螺合させておく。また、各ナット２４・２５も緩めておく。
【００２１】
そして、下層階側の立て管４（図示せず）と排水管継手６とを接続させつつ、排水管継手６を挿通孔２内に挿入して、コンクリートスラプ１から所定の高さ位置となるように、排水管継手６の高さ調整を行なう。この時、各支持部材１１Ａ・１１Ｂの下端部３０をコンクリートスラブ１の上面１ａに当接させた状態で、ねじ棒２３に螺合させていたナット２４・２４を緩めて、各支持部材１１Ａ・１１Ｂのバンド部１２自体を、保持部２２としてのねじ棒２３に対して、ねじ棒２３の軸方向に移動させたり、あるいは、ナット２５・２５を緩めて、バンド部１２を固定させた状態のねじ棒２３を、上下動させて、胴部７の外周面７ａを把持するバンド部１２・１２の高さ位置調整を行ない、ナット２４・２５を締め付ける。
【００２２】
ついで、ボルト１８とナット１９とを締め付けて、支持部材１１Ａ・１１Ｂのバンド部１２・１２により、胴部７の外周面７ａを把持するとともに、コンクリートスラブ１の上面１ａに当てていた各下端部３０を、固定ボルト３１を利用して、スラブ１に固定すれば、支持金具１０により、排水管継手６を、コンクリートスラブ１に対して、位置決めして、支持でき、かつ、固定できることとなる。
【００２３】
またこの時、コンクリートスラブ１上に、メータボックス等の干渉物Ｃがある場合には、ナット２５・２５を緩めて、分岐脚部２７を、ねじ棒２３を中心として、回転させて、下端部３０を干渉物Ｃに干渉しない位置に配置させて、ナット２５・２５を締め付けておく。
【００２４】
そして、排水管継手６の支持作業を完了させたならば、挿通孔２の内周面と排水管継手６の外周面との間に、モルタル等の充填材３を充填して、排水管継手６の横枝管接続部８に所定の横枝管５を接続させるとともに、排水管継手６に上方側の立て管４を接続させることとなる。
【００２５】
以上のように、実施形態の支持金具１０では、敷設する排水管継手６の周囲に干渉物Ｃがあっても、保持部２２を中心に分岐脚部２７を回転させて、干渉物Ｃを避けるように、各下端部３０をコンクリートスラブ１に固定することができる。そして、端部１５・１５相互を連結させて、バンド部１２・１２によって排水管継手６の外周面７ａを把持した状態で、バンド部１２を保持した保持部２２から延びる分岐脚部２７の各下端部３０を、コンクリートスラブ１に固定すれば、安定して、排水管継手６を支持することができる。
【００２６】
したがって、実施形態の支持金具１０では、干渉物Ｃを避けて固定でき、かつ、安定して排水管継手６を支持することができる。
【００２７】
そして、実施形態では、保持部２２が、分岐脚部２７に対し、上下方向の高さ調整を可能として、連結されている。すなわち、ナット２４・２４を緩めて、バンド部１２を、ねじ棒２３の軸方向に対して、相対的に移動させることができることから、バンド部１２のコンクリートスラブ１からの高さ調整を、行なうことができる。また、ナット２５・２５を緩めて、分岐脚部２７を、ねじ棒２３の軸方向に対して、相対的に移動させることもできることから、ねじ棒２３に固定されたバンド部１２のコンクリートスラブ１からの高さ調整を、行なうこともできる。
【００２８】
そのため、図３・４に示すように、分岐脚部２７の各下端部３０をコンクリートスラブ１に固定する位置に対して、バンド部１２で把持する排水管継手６・６Ａの把持位置の高さを、変更することとしても、容易に対処することができる。
【００２９】
特に、実施形態では、ナット２４・２５の操作により、容易に、バンド部１２で把持する排水管継手６・６Ａの把持位置の高さ変更と、保持部２２を中心とした回転方向の分岐脚部２７における各下端部３０の配置位置の変更と、を行なうことができる。
【００３０】
すなわち、既述したように、ナット２４・２４若しくはナット２５・２５を緩めて、保持部２２としてのねじ棒２３に対する鍔部１７若しくは分岐脚部２７の位置を、ねじ棒２３の軸方向に相対的に移動させて、鍔部１７の表裏からねじ棒２３に螺合させるナット２４・２４、あるいは、分岐脚部２７の横杆部２８の表裏からねじ棒２３に螺合させるナット２５・２５、を締め付ければ、分岐脚部２７の各下端部３０からのバンド部１２の高さ位置を、簡単に、変更することができる。
【００３１】
また、分岐脚部２７の横杆部２８の表裏からねじ棒２３に螺合させるナット２５・２５を緩めて、図２・５に示すように、所定の下端部３０が干渉物Ｃと干渉しないように、ねじ棒２３に対して、分岐脚部２７を回転させ、ついで、横杆部２８の表裏からねじ棒２３に螺合させるナット２５・２５を締め付ければ、保持部２２を中心とした回転方向の分岐脚部２７における各下端部３０の配置位置を、簡単に、変更することができる。
【００３２】
なお、実施形態では、鍔部１７の挿通孔１７ａや横杆部２８の挿通孔２８ａを、ねじ棒２３を挿通可能な円形に開口させた場合を示した。しかし、図５の二点鎖線に示すように、ナット２４・２４によって周縁を締付可能であれば、バンド部１２の本体１３からの突出方向に沿って、鍔部１７を長くし、挿通孔１７ａを、鍔部１７における本体１３からの突出方向に沿う長円形に開口させて、ねじ棒２３を長円形の挿通孔１７ａ内でずらして、バンド部１２と分岐脚部２７との水平方向の距離を、調整できるように構成したり、あるいは、ナット２５・２５により周縁を締め付け可能であれば、挿通孔２８ａを、横杆部２８の長手方向に長く延びた長円形に開口させて、ねじ棒２３を長円形の挿通孔２８ａ内でずらして、ねじ棒２３から分岐脚部２７の各下端部３０・３０までの水平方向の距離を、調整できるように構成してもよい。
【００３３】
また、実施形態では、分岐脚部２７の横杆部２８を、直線状に形成した場合を示したが、図６に示す横杆部２８Ａのように、上方から見て、く字形等に屈曲させたり、湾曲させてもよい。
【００３４】
さらに、図７に示すように、分岐脚部２７Ａを、二つの脚部材３２から構成してもよい。各脚部材３２は、保持部２２としてのねじ棒２３を挿通可能な挿通孔２８ａを備えた横杆部３３と、挿通孔２８ａから離れた横杆部３３の端部から下方に延びて下端部３０を有した一つの縦杆部２９と、を備えて構成されている。このような分岐脚部２７Ａでは、二つの下端部３０を、保持部２２としてのねじ棒３０を中心に、別々に、回転させて、配置位置を調整し、そして、重ねた二つの横杆部３３の挿通孔２８ａ周縁を、ナット２５・２５によって、挟んで締め付けることにより、その位置を固定することができる。
【００３５】
また、実施形態では、支持金具１０を一対の支持部材１１（１１Ａ・１１Ｂ）から構成し、各支持部材１１のバンド部１２が、排水管継手６の外周面７ａを周方向に二分割するように、半割り円筒状に形成した場合を示した。しかし、バンド部１２は、排水管継手６の外周面７ａを周方向に三分割や四分割等に分割して把持するように、構成してもよく、そして、それらの各バンド部１２に固定部２１を接続させて、支持部材１１を構成すればよい。
【図面の簡単な説明】
【図１】本発明に係る一実施形態を示す支持金具の斜視図である。
【図２】実施形態の使用状態を示す平面図である。
【図３】実施形態の使用状態を示す正面図である。
【図４】実施形態のバンド部の高さを高くした状態を示す正面図である。
【図５】実施形態の分岐脚部を回転させた状態の平面図である。
【図６】実施形態の変形例を示す平面図である。
【図７】実施形態の他の変形例を示す部分分解斜視図である。
【符号の説明】
１…コンクリートスラブ、
２…挿通孔、
６…排水管継手、
１０…支持金具、
１２…バンド部、
１５…端部、
１７…鍔部、
１７ａ…（鍔部の）挿通孔、
２１…固定部、
２２…保持部、
２３…ねじ棒、
２４・２５…ナット、
２７・２７Ａ…分岐脚部、
２８ａ…（分岐脚部の）挿通孔、
３０…下端部、
Ｃ…干渉物。
【図１】
2004027508.tif 000003
【図２】
2004027508.tif 000004
【図３】
2004027508.tif 000005
【図４】
2004027508.tif 000006
【図５】
2004027508.tif 000007
【図６】
2004027508.tif 000008
【図７】
2004027508.tif 000009